(57)【要約】【課題】殺菌対象物だけでなく殺菌装置の周辺に存在する気体を積極的に殺菌することができるとともに、殺菌対象物に応じた殺菌の利便性及び安全性を向上させることができるマルチ殺菌装置を提供する。【解決手段】本実施形態のマルチ殺菌装置１は、上面壁２１と側面壁２２と開口部２３とを有する筒状壁２と、搬入口２２Ｅと、照射部３と、筒状壁２の下端よりも下方に取り付けられる脚部４と、脚部４が接地する接地面と筒状壁２の下端との隙間を利用して殺菌空間内へ気体の出入りを可能にする通気口５と、を備える。【選択図】図２
0003230594.tif 000002
【実用新案登録請求の範囲】
【請求項１】
上面壁と、前記上面壁の周縁付近から下方に延びる側面壁と、前記側面壁の下方周縁に囲まれてなる開口部と、を有する筒状壁と、
前記筒状壁に囲まれてなる殺菌空間内に殺菌対象物を出し入れする出入口となる搬入口と、
前記筒状壁に取り付けられており前記殺菌空間内にある前記殺菌対象物及び／又は気体に殺菌光を照射する照射部と、
前記筒状壁の下端よりも下方に取り付けられる脚部と、
前記脚部が接地する接地面と前記筒状壁の下端との隙間を利用して前記殺菌空間内へ気体の出入りを可能にする通気口と、
を備えることを特徴とするマルチ殺菌装置。
【請求項２】
前記脚部は、前記筒状壁の移動を可能にする脚車である
ことを特徴とする請求項１に記載のマルチ殺菌装置。
【請求項３】
前記筒状壁に取り付けられており前記殺菌空間内にある気体を排出する排気部と、
前記殺菌空間内に充満した気体の量を充満気体量として前記排気部が前記充満気体量と同量又はそれ以下の量だけ前記気体を排出する制御を行う排気制御部と、
を更に備えることを特徴とする請求項１又は請求項２に記載のマルチ殺菌装置。
【請求項４】
前記排気制御部は、前記照射部が照射を終了した照射終了時から所定の排気待機時間後に前記排気部が前記気体の排出を開始する制御を行う
ことを特徴とする請求項３に記載のマルチ殺菌装置。
【請求項５】
前記筒状壁に取り付けられており、前記排気部が排出する気体が流れる流路において前記殺菌空間から前記排気部までの間に配置されている除菌フィルタと、
を更に備えることを特徴とする請求項３又は請求項４に記載のマルチ殺菌装置。
【請求項６】
前記搬入口は、前記側面壁の一部に設けられた扉を有し、
前記扉は、前記殺菌光が人体に影響を及ぼさない程度に前記殺菌光を透過する透過窓を有する
ことを特徴とする請求項１から請求項５のいずれか１項に記載のマルチ殺菌装置。
【請求項７】
前記照射部が照射していることを示す作動標識を表示する標識表示部と、
を更に備えることを特徴とする請求項１から請求項６のいずれか１項に記載のマルチ殺菌装置。
【請求項８】
前記扉を施錠又は解錠することができる鍵と、
前記照射部が照射を開始する際の操作ボタンとなる照射開始ボタンと、
前記照射開始ボタンの操作開始時に基づき前記鍵が前記扉を施錠する制御を行うとともに、前記照射部の照射終了時に基づき前記鍵が前記扉を解錠する制御を行う施錠制御部と、
を更に備えることを特徴とする請求項６又は請求項７に記載のマルチ殺菌装置。
【請求項９】
前記殺菌対象物が前記殺菌空間内に配置されたことを感知したときに照射開始を自動的に操作にする自動開始時から所定の照射待機時間後に所定の照射時間だけ前記照射部が前記殺菌光を照射する制御を行う照射制御部と、
を更に備えることを特徴とする請求項６又は請求項７に記載のマルチ殺菌装置。
【請求項１０】
前記殺菌空間内に人を含む動物がいるか否かを感知する動物感知センサと、を更に備えており、
前記照射制御部は、前記殺菌空間内に前記動物がいることを前記動物感知センサが感知したときに前記照射部が前記殺菌光を照射しない制御を行う
ことを特徴とする請求項９のいずれか１項に記載のマルチ殺菌装置。
【請求項１１】
前記殺菌対象物は、スーパーマーケットなどの商店で使用される１個の商店用買い物かご又は２個以上の前記商店用買い物かごを上下方向に集合させてなるかご集合体であり、
前記上面壁は、前記殺菌対象物を取り出すことが可能な程度の大きさを有する取出口を有する
ことを特徴とする請求項１から請求項１０のいずれか１項に記載のマルチ殺菌装置。
【請求項１２】
前記取出口の高さを基準にして前記殺菌対象物の高さが一定の範囲内となるように前記殺菌対象物を上方に持ち上げる高さ調整部と、
を更に備えることを特徴とする請求項１１に記載のマルチ殺菌装置。
【考案の詳細な説明】
【技術分野】
【０００１】
本考案は、殺菌光を用いて商店用買い物かごなどの殺菌対象物及び装置周辺に存在する空気を殺菌することに好適なマルチ殺菌装置に関する。
【背景技術】
【０００２】
従来の殺菌装置は、滅菌チャンバと、滅菌チャンバ内に配置されるメッシュ状のカゴと、カゴの上面・底面及び側面のそれぞれにおいて平行に配置された複数の紫外線ランプと、紫外線ランプと平行に配置された複数の分解用ランプと、滅菌チャンバ内が所定気圧になるまで滅菌チャンバ内を排気する真空ポンプと、排気された滅菌チャンバ内に酸素を含む気体を供給する制御部と、を備える。
【先行技術文献】
【特許文献】
【０００３】
【特許文献１】特許５２０６５４６号公報
【考案の概要】
【考案が解決しようとする課題】
【０００４】
しかしながら、従来の殺菌装置は、殺菌対象物だけでなく、殺菌装置の周辺に存在する空気などの気体を積極的に殺菌するという概念が存在しなかった。
【０００５】
また、従来の殺菌装置は、殺菌対象物に応じて利便性及び安全性を向上させるという点で機能を特化しているとは言えないという問題があった。
【０００６】
そこで、本考案はこれらの点に鑑みてなされたものであり、殺菌対象物だけでなく殺菌装置の周辺に存在する気体を積極的に殺菌することができるとともに、殺菌対象物に応じた殺菌の利便性及び安全性を向上させることができるマルチ殺菌装置を提供することを本考案の目的としている。
【課題を解決するための手段】
【０００７】
（１）前述した目的を達成するため、本考案のマルチ殺菌装置は、上面壁と、上面壁の周縁付近から下方に延びる側面壁と、側面壁の下方周縁に囲まれてなる開口部と、を有する筒状壁と、筒状壁に囲まれてなる殺菌空間内に殺菌対象物を出し入れする出入口となる搬入口と、筒状壁に取り付けられており殺菌空間内にある殺菌対象物及び／又は気体に殺菌光を照射する照射部と、筒状壁の下端よりも下方に取り付けられる脚部と、脚部が接地する接地面と筒状壁の下端との隙間を利用して殺菌空間内へ気体の出入りを可能にする通気口と、を備えることを特徴とする。
【０００８】
これにより、本考案のマルチ殺菌装置は、殺菌装置の周辺に存在する気体を殺菌空間に対して自由に出入りさせることができる。
【０００９】
（２）また、本考案のマルチ殺菌装置において、脚部は、筒状壁の移動を可能にする脚車であることが好ましい。
【００１０】
これにより、本考案のマルチ殺菌装置は、マルチ殺菌装置が重くて持ち運ぶことができなくても、マルチ殺菌装置を容易に移動させることができる。
【００１１】
（３）また、本考案のマルチ殺菌装置は、筒状壁に取り付けられており殺菌空間内にある気体を排出する排気部と、殺菌空間内に充満した気体の量を充満気体量として排気部が充満気体量と同量又はそれ以下の量だけ気体を排出する制御を行う排気制御部と、を更に備えることが好ましい。
【００１２】
これにより、本考案のマルチ殺菌装置は、殺菌した気体量分だけ殺菌空間内の気体を強制的に出入りさせることができる。
【００１３】
（４）また、本考案のマルチ殺菌装置において、排気制御部は、照射部が照射を終了した照射終了時から所定の排気待機時間後に排気部が気体の排出を開始する制御を行うことが好ましい。
【００１４】
これにより、本考案のマルチ殺菌装置は、殺菌空間内にある気体の殺菌処理を終えた後に気体を自動的に出入りさせることができる。
【００１５】
（５）また、本考案のマルチ殺菌装置は、筒状壁に取り付けられており、排気部が排出する気体が流れる流路において殺菌空間から排気部までの間に配置されている除菌フィルタと、を更に備えることが好ましい。
【００１６】
これにより、本考案のマルチ殺菌装置は、殺菌空間内にある気体を完全に殺菌処理できずに気体内に残留菌が存在したとしても、除菌フィルタが気体内の残留菌を確保することができる。
【００１７】
（６）また、本考案のマルチ殺菌装置において、搬入口は、側面壁の一部に設けられた扉を有し、扉は、殺菌光が人体に影響を及ぼさない程度に殺菌光を透過する透過窓を有することが好ましい。
【００１８】
これにより、本考案のマルチ殺菌装置は、透過窓から透過する光の有無によって照射部が照射中か否かを装置周辺者に視認させることができる。
【００１９】
（７）また、本考案のマルチ殺菌装置は、照射部が照射していることを示す作動標識を表示する標識表示部と、を更に備えることが好ましい。
【００２０】
これにより、本考案のマルチ殺菌装置は、照射部が照射中か否かを作動標識により視認させることができる。
【００２１】
（８）また、本考案のマルチ殺菌装置は、扉を施錠又は解錠することができる鍵と、照射部が照射を開始する際の操作ボタンとなる照射開始ボタンと、照射開始ボタンの操作開始時に基づき鍵が扉を施錠する制御を行うとともに、照射部の照射終了時に基づき鍵が扉を解錠する制御を行う施錠制御部と、を更に備えることが好ましい。
【００２２】
これにより、本考案のマルチ殺菌装置は、手動操作によって照射部が照射をしている際に扉が誤って開いてしまい、殺菌光が殺菌空間外に意図せず漏れてしまうことを防止することができる。
【００２３】
（９）また、本考案のマルチ殺菌装置は、殺菌対象物が殺菌空間内に配置されたことを感知したときに照射開始を自動的に操作にする自動開始時から所定の照射待機時間後に所定の照射時間だけ照射部が殺菌光を照射する制御を行う照射制御部と、を更に備えることを特徴とすることが好ましい。
【００２４】
これにより、本考案のマルチ殺菌装置は、自動で照射を開始することができる。
【００２５】
（１０）また、本考案のマルチ殺菌装置は、殺菌空間内に人を含む動物がいるか否かを感知する動物感知センサと、を更に備えており、照射制御部は、殺菌空間内に動物がいることを動物感知センサが感知したときに照射部が殺菌光を照射しない制御を行うことが好ましい。
【００２６】
これにより、本考案のマルチ殺菌装置は、殺菌空間内に人やペットなどの動物が誤って侵入した場合に、照射部が動物に殺菌光を照射することを防止することができる。
【００２７】
（１１）また、本考案のマルチ殺菌装置において、殺菌対象物は、スーパーマーケットなどの商店で使用される１個の商店用買い物かご又は２個以上の商店用買い物かごを上下方向に集合させてなるかご集合体であり、上面壁は、殺菌対象物を取り出すことが可能な程度の大きさを有する取出口を有することが好ましい。
【００２８】
これにより、本考案のマルチ殺菌装置は、殺菌空間内に設置したまま殺菌対象物の商店用買い物かごを取出口から取り出すことができる。
【００２９】
（１２）また、本考案のマルチ殺菌装置は、取出口の高さを基準にして殺菌対象物の高さが一定の範囲内となるように殺菌対象物を上方に持ち上げる高さ調整部と、を更に備えることが好ましい。
【００３０】
これにより、本考案のマルチ殺菌装置は、取出口から殺菌空間内に手を必要以上に入れることなく、取出口から殺菌対象物を容易に取り出すことができる。
【考案の効果】
【００３１】
本考案のマルチ殺菌装置は、殺菌装置の周辺に存在する気体を殺菌空間に対して出入りさせることができるので、殺菌空間内に配置された殺菌対象物だけでなく殺菌装置の周辺に存在する気体を積極的に殺菌することができるとともに、殺菌対象物に応じた殺菌の利便性及び安全性を向上させることができるという効果を奏する。
【図面の簡単な説明】
【００３２】
【図１】図１は、本実施形態のマルチ殺菌装置において取出口がなく、かつ、側面扉を閉じた状態を示す斜視図である。
【図２】図２は、本実施形態のマルチ殺菌装置において取出口がなく、かつ、側面扉を開いた状態を示す斜視図である。
【図３】図３は、本実施形態のマルチ殺菌装置において取出口があり、かつ、側面扉を閉じた状態を示す斜視図である。
【図４】図４は、本実施形態のマルチ殺菌装置において取出口があり、かつ、側面扉を開いた状態を示す斜視図である。
【考案を実施するための形態】
【００３３】
以下、本考案のマルチ殺菌装置１の実施形態を説明する。
【００３４】
［マルチ殺菌装置１］本実施形態のマルチ殺菌装置１は、図１〜図４に示すように、筒状壁２と、搬入口２２Ｅと、照射部３と、脚部４と、通気口５と、排気部６と、排気制御部と、除菌フィルタ７と、標識表示部８と、動物感知センサ９と、照射制御部と、照射開始ボタン１０Ｓと、照射停止ボタン１０Ｆと、高さ調整部１１と、を備える。
【００３５】
［筒状壁２］筒状壁２は、図１〜図４に示すように、上面壁２１と、上面壁２１の周縁付近から下方に延びる側面壁２２と、側面壁２２の下方周縁に囲まれてなる開口部２３と、を有する。
【００３６】
上面壁２１及び側面壁２２の材料は、不透明なプラスティックや金属など殺菌光の透過を防ぎつつ、構造材料として適切な強度を有する材料であることが好ましい。
【００３７】
本実施形態の筒状壁２の形状は、本実施形態の殺菌対象物ＯＳの形状を考慮して、上下に伸びる略直方体形状であることが好ましい。本実施形態の筒状壁２が略直方体形状である場合、筒状壁２が略円筒形状である場合と比較して、複数のマルチ殺菌装置１を並べて配置したときに無駄なスペースが生じないため空間を有効利用することができる。
【００３８】
開口部２３は、筒状壁２を上下に伸びる直方体に見立てたときの底面に相当する位置に形成されている。
【００３９】
［殺菌対象物ＯＳ］本実施形態において殺菌対象物ＯＳは、１個の商店用買い物かごＳＢ又はかご集合体ＢＡを想定している。かご集合体ＢＡとは、２個以上の商店用買い物かごＳＢを上下方向に集合させてなるものである。
【００４０】
商店用買い物かごＳＢが略直方体状の場合、かご集合体ＢＡは、複数の商店用買い物かごＳＢを上方に重ねたことにより上下方向に伸びる略直方体状となる。筒状壁２の設計時においてかご集合体ＢＡの形状に応じて筒状壁２の形状を変更することが好ましい。
【００４１】
［かご台ＢＳ］かご台ＢＳは、殺菌対象物ＯＳをその下方から支えることが好ましい。殺菌対象物ＯＳの収納を容易にするためである。また、かご台ＢＳは、かご台ＢＳ及び殺菌対象物ＯＳの移動を容易にするため、脚車を有するかご台ＢＳであることが好ましい。
【００４２】
［搬入口２２Ｅ］搬入口２２Ｅは、筒状壁２に囲まれてなる殺菌空間ＡＳ内に殺菌対象物ＯＳを出し入れする出入口となる。本実施形態の搬入口２２Ｅは、殺菌対象物ＯＳの出し入れを容易にするため、側面壁２２（例えば４つの側面の内の正面壁２２１）において殺菌対象物ＯＳよりも大きく形成されていることが好ましい。以下の取出口２１Ｅがない場合、照射後の殺菌対象物ＯＳは搬入口２２Ｅから取り出される。
【００４３】
［側面扉２２Ｄ］搬入口２２Ｅは、側面壁２２の一部に設けられた側面扉２２Ｄを有することが好ましい。また、側面扉２２Ｄは、その構造を簡素化しつつ、殺菌対象物ＯＳの出し入れを容易にするため、手前に開く両開き扉（図１及び２参照）又は片開き扉（図３及び４参照）であることが好ましい。
【００４４】
［透過窓２２Ｗ］側面扉２２Ｄは、殺菌光が人体に影響を及ぼさない程度に殺菌光を透過する透過窓２２Ｗを有することが好ましい。また、透過窓２２Ｗは、その透過窓２２Ｗからマルチ殺菌装置１の外側に透過する光を乱反射させつつ、そのマルチ殺菌装置１を技術面だけでなくデザイン面からも親しんでもらえるようにするため、模様彫りを有することが好ましい。
【００４５】
［取出口２１Ｅ］上面壁２１は、図３及び４に示すように、殺菌対象物ＯＳを取り出すことが可能な程度の大きさを有する取出口２１Ｅを有することが好ましい。
【００４６】
［上面扉２１Ｄ］取出口２１Ｅは、図３及び４に示すように、上面壁２１の表面又は裏面に設けられた上面扉２１Ｄを有することが好ましい。上面扉２１Ｄは、その構造を簡素化しつつ、上面扉２１Ｄの開閉保持を容易にするため、片引き扉又は両引き扉であることが好ましい。
【００４７】
［照射部３］照射部３は、図２及び４に示すように、筒状壁２に取り付けられており殺菌空間ＡＳ内にある殺菌対象物ＯＳ及び／又は気体に殺菌光を照射する。本実施形態の気体は、主に、マルチ殺菌装置１の内部及び外部に存在しており筒状壁２の開口部２３から出入りする空気を想定している。つまり、本実施形態の照射部３は、殺菌空間ＡＳ内において殺菌光の照射により、殺菌対象物ＯＳのみ、気体（例：周辺空気）のみ、又は、殺菌対象物ＯＳ及び気体の両方を殺菌する。
【００４８】
殺菌光は、細菌の除菌・殺菌・滅菌・消毒・抗菌だけでなく、ウィルスの不活性化にも効果的な光であることが好ましい。そのため、現時点において、照射部３は、例えば、新型コロナウイルス感染症（ＣＯＶＩＤ−１９）の対策に有用な深紫外線（ＵＶ−Ｃ）ランプであることが好ましい。
【００４９】
［脚部４］脚部４は、図１〜４に示すように、筒状壁２の下端よりも下方に取り付けられる。この脚部４は、筒状壁２の移動を可能にする脚車であることが好ましい。
【００５０】
［通気口５］通気口５は、脚部４が接地する接地面と筒状壁２の下端との隙間を利用して殺菌空間ＡＳ内へ気体の出入りを可能にする。通気口５の形状は、筒状壁２の下端形状及び脚部４の高さの調整によって適宜変更可能である。
【００５１】
［排気部６］排気部６は、図１〜４に示すように、筒状壁２に取り付けられており殺菌空間ＡＳ内にある気体を排出する。本実施形態の排気部６は、排気ファンを想定している。
【００５２】
図１及び２に示すように取出口２１Ｅが上面壁２１に設けられていない場合、排気部６は筒状壁２の上端である上面壁２１に設けられていることが好ましい。これは、筒状壁２の下端付近に設けられている通気口５から流入する空気の流れを考慮したからである。
【００５３】
その一方、図３及び４に示すように取出口２１Ｅが上面壁２１に設けられている場合、上記と同様に空気の流れを考慮し、排気部６は側面壁２２の一部の領域かつ筒状壁２の上端付近の領域に設けられていることが好ましい。図３及び４に示すマルチ殺菌装置１の場合、側面扉２２Ｄが側面壁２２のうちの正面壁２２１に設けられているため、排気部６は正面壁２２１の反対側の背面壁２２２に取り付けられている。
【００５４】
［排気制御部］排気制御部は、殺菌空間ＡＳ内に充満した気体の量を充満気体量として、排気部６が充満気体量と同量又はそれ以下の量だけ気体を排出する制御を行うことが好ましい。
【００５５】
また、排気制御部は、照射部３が照射を終了した照射終了時から所定の排気待機時間後に、排気部６が気体の排出を開始する制御を行うことが好ましい。
【００５６】
［除菌フィルタ７］除菌フィルタ７は、筒状壁２に取り付けられており、排気部６が排出する気体が流れる流路において殺菌空間ＡＳから排気部６までの間に配置されている。
【００５７】
そのため、図１及び２に示すように、排気部６が上面壁２１に設けられている場合、除菌フィルタ７は上面壁２１の内側に取り付けられており、排気部６は上面壁２１の外側に取り付けられる。
【００５８】
その一方、図３及び４に示すように、排気部６が側面壁２２（例：背面壁２２２）に設けられている場合、除菌フィルタ７は側面壁２２の内側に取り付けられており、排気部６は側面壁２２の外側に取り付けられる。
【００５９】
除菌フィルタ７としては、気体から細菌やウィルスを除去するＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）などのエア・フィルタであることが好ましい。
【００６０】
［標識表示部８］標識表示部８は、照射部３が照射していることを示す作動標識を表示する。作動標識としては、文字、図形、記号、色彩など人が照射部３による照射を認識することができる視覚標識であれば何でもよい。本実施形態の作動標識としては点状有色ランプを想定している。
【００６１】
標識表示部８は、側面壁２２の一部の領域かつ筒状壁２の上端付近の領域（例：正面壁２２１の上部右側）に設けられている。
【００６２】
［動物感知センサ９］動物感知センサ９は、殺菌空間ＡＳ内に人を含む動物（例：人の子供、犬・猫などのペット）がいるか否かを感知する。本実施形態の動物感知センサ９としては、赤外線、超音波、可視光などを利用した人感センサが用いられている。
【００６３】
［照射開始ボタン１０Ｓ・照射停止ボタン１０Ｆ］照射開始ボタン１０Ｓは、照射部３が照射を開始する際の操作ボタンとなる。それに対し、照射停止ボタン１０Ｆは、照射部３が照射を停止する際の操作ボタンとなる。
【００６４】
［鍵２２Ｋ］鍵２２Ｋは、側面扉２２Ｄ又は上面扉２１Ｄのうち少なくとも側面扉２２Ｄを機械的又は電気的のうち少なくとも電気的に施錠又は解錠することができる構造及び配置になっている。
【００６５】
［照射制御部］照射制御部は、手動開始時又は自動開始時に応じて以下の所定の照射制御を行う。
【００６６】
手動開始時とは、操作者が照射開始ボタン１０Ｓを操作することを意味する。施錠制御部は、手動操作により照射が開始される場合、照射開始ボタン１０Ｓの操作開始時に基づき、鍵２２Ｋが少なくとも側面扉２２Ｄを施錠する制御を行うとともに、照射部３の照射終了時に基づき鍵２２Ｋが少なくとも側面扉２２Ｄを解錠する制御を行うことが好ましい。
【００６７】
その一方、自動操作とは、殺菌対象物ＯＳが殺菌空間ＡＳ内に配置されたことを感知したときに照射開始を自動的に操作にする。照射制御部は、自動操作により照射が開始される場合、自動開始時から所定の照射待機時間後に所定の照射時間だけ照射部３が殺菌光を照射する制御を行う。
【００６８】
ここで、照射制御部は、殺菌空間ＡＳ内に動物がいることを動物感知センサ９が感知したときに照射部３が殺菌光を照射しない制御を行うことが好ましい。
【００６９】
また、照射制御部は、側面扉２２Ｄ又は／及び上面扉２１Ｄが閉じていないときに照射部３が殺菌光を照射しない制御を行うことが好ましい。側面扉２２Ｄ又は上面扉２１Ｄが開いているときに人体に悪影響の懸念がある殺菌光が殺菌空間ＡＳ外に漏れ出ることを防ぐためである。
【００７０】
［高さ調整部１１］高さ調整部１１は、取出口２１Ｅの高さを基準にして殺菌対象物ＯＳの高さが一定の範囲内となるように殺菌対象物ＯＳを上方に持ち上げる。
【００７１】
本実施形態の高さ調整部１１は、１個又は２個以上の商店用買い物かごＳＢを掴む又は引っ掛ける把持部１１１と、把持部１１１を上方に移動させる移動補助部１１２と、を有している。また、把持部１１１は、側面壁２２のうちの右面壁２２３及び左面壁２２４の各内側に相対してそれぞれ取り付けられている。
【００７２】
［効果］次に、本実施形態のマルチ殺菌装置１の効果を説明する。
【００７３】
（１）前述した目的を達成するため、本実施形態のマルチ殺菌装置１は、上面壁２１と、上面壁２１の周縁付近から下方に延びる側面壁２２と、側面壁２２の下方周縁に囲まれてなる開口部２３と、を有する筒状壁２と、筒状壁２に囲まれてなる殺菌空間ＡＳ内に殺菌対象物ＯＳを出し入れする出入口となる搬入口２２Ｅと、筒状壁２に取り付けられており殺菌空間ＡＳ内にある殺菌対象物ＯＳ及び／又は気体に殺菌光を照射する照射部３と、筒状壁２の下端よりも下方に取り付けられる脚部４と、脚部４が接地する接地面と筒状壁２の下端との隙間を利用して殺菌空間ＡＳ内へ気体の出入りを可能にする通気口５と、を備えることを特徴とする。
【００７４】
これにより、本実施形態のマルチ殺菌装置１は、殺菌装置の周辺に存在する気体を殺菌空間ＡＳに対して自由に出入りさせることができる。
【００７５】
（２）また、本実施形態のマルチ殺菌装置１において、脚部４は、筒状壁２の移動を可能にする脚車であることが好ましい。
【００７６】
これにより、本実施形態のマルチ殺菌装置１は、マルチ殺菌装置１が重くて持ち運ぶことができなくても、マルチ殺菌装置１を容易に移動させることができる。
【００７７】
（３）また、本実施形態のマルチ殺菌装置１は、筒状壁２に取り付けられており殺菌空間ＡＳ内にある気体を排出する排気部６と、殺菌空間ＡＳ内に充満した気体の量を充満気体量として排気部６が充満気体量と同量又はそれ以下の量だけ気体を排出する制御を行う排気制御部と、を更に備えることが好ましい。
【００７８】
これにより、本実施形態のマルチ殺菌装置１は、殺菌した気体量分だけ殺菌空間ＡＳ内の気体を強制的に出入りさせることができる。
【００７９】
（４）また、本実施形態のマルチ殺菌装置１において、排気制御部は、照射部３が照射を終了した照射終了時から所定の排気待機時間後に排気部６が気体の排出を開始する制御を行うことが好ましい。
【００８０】
これにより、本実施形態のマルチ殺菌装置１は、殺菌空間ＡＳ内にある気体の殺菌処理を終えた後に気体を自動的に出入りさせることができる。
【００８１】
（５）また、本実施形態のマルチ殺菌装置１は、筒状壁２に取り付けられており、排気部６が排出する気体が流れる流路において殺菌空間ＡＳから排気部６までの間に配置されている除菌フィルタ７と、を更に備えることが好ましい。
【００８２】
これにより、本実施形態のマルチ殺菌装置１は、殺菌空間ＡＳ内にある気体を完全に殺菌処理できずに気体内に残留菌が存在したとしても、除菌フィルタ７が気体内の残留菌を確保することができる。
【００８３】
（６）また、本実施形態のマルチ殺菌装置１において、搬入口２２Ｅは、側面壁２２の一部に設けられた扉を有し、扉は、殺菌光が人体に影響を及ぼさない程度に殺菌光を透過する透過窓２２Ｗを有することが好ましい。
【００８４】
これにより、本実施形態のマルチ殺菌装置１は、透過窓２２Ｗから透過する光の有無によって照射部３が照射中か否かを装置周辺者に視認させることができる。
【００８５】
（７）また、本実施形態のマルチ殺菌装置１は、照射部３が照射していることを示す作動標識を表示する標識表示部８と、を更に備えることが好ましい。
【００８６】
これにより、本実施形態のマルチ殺菌装置１は、照射部３が照射中か否かを作動標識により視認させることができる。
【００８７】
（８）また、本実施形態のマルチ殺菌装置１は、少なくとも側面扉２２Ｄを施錠又は解錠することができる鍵２２Ｋと、照射部３が照射を開始する際の操作ボタンとなる照射開始ボタン１０Ｓと、照射開始ボタン１０Ｓの操作開始時に基づき鍵２２Ｋが少なくとも側面扉２２Ｄを施錠する制御を行うとともに、照射部３の照射終了時に基づき鍵２２Ｋが少なくとも側面扉２２Ｄを解錠する制御を行う施錠制御部と、を更に備えることが好ましい。
【００８８】
これにより、本実施形態のマルチ殺菌装置１は、手動操作によって照射部３が照射をしている際に側面扉２２Ｄが誤って開いてしまい、殺菌光が殺菌空間ＡＳ外に意図せず漏れてしまうことを防止することができる。
【００８９】
（９）また、本実施形態のマルチ殺菌装置１は、殺菌対象物ＯＳが殺菌空間ＡＳ内に配置されたことを感知したときに照射開始を自動的に操作にする自動開始時から所定の照射待機時間後に所定の照射時間だけ照射部３が殺菌光を照射する制御を行う照射制御部と、を更に備えることを特徴とすることが好ましい。
【００９０】
これにより、本実施形態のマルチ殺菌装置１は、自動で照射を開始することができる。
【００９１】
（１０）また、本実施形態のマルチ殺菌装置１は、殺菌空間ＡＳ内に人を含む動物がいるか否かを感知する動物感知センサ９と、を更に備えており、照射制御部は、殺菌空間ＡＳ内に動物がいることを動物感知センサ９が感知したときに照射部３が殺菌光を照射しない制御を行うことが好ましい。
【００９２】
これにより、本実施形態のマルチ殺菌装置１は、殺菌空間ＡＳ内に人やペットなどの動物が誤って侵入した場合に、照射部３が動物に殺菌光を照射することを防止することができる。
【００９３】
（１１）また、本実施形態のマルチ殺菌装置１において、殺菌対象物ＯＳは、スーパーマーケットなどの商店で使用される１個の商店用買い物かごＳＢ又は２個以上の商店用買い物かごＳＢを上下方向に集合させてなるかご集合体ＢＡであり、上面壁２１は、殺菌対象物ＯＳを取り出すことが可能な程度の大きさを有する取出口２１Ｅを有することが好ましい。
【００９４】
これにより、本実施形態のマルチ殺菌装置１は、殺菌空間ＡＳ内に設置したまま殺菌対象物ＯＳの商店用買い物かごＳＢを取出口２１Ｅから取り出すことができる。
【００９５】
（１２）また、本実施形態のマルチ殺菌装置１は、取出口２１Ｅの高さを基準にして殺菌対象物ＯＳの高さが一定の範囲内となるように殺菌対象物ＯＳを上方に持ち上げる高さ調整部１１と、を更に備えることが好ましい。
【００９６】
これにより、本実施形態のマルチ殺菌装置１は、取出口２１Ｅから殺菌空間ＡＳＡＳ内に手を必要以上に入れることなく、取出口２１Ｅから殺菌対象物ＯＳを容易に取り出すことができる。
【００９７】
すなわち、本実施形態のマルチ殺菌装置１は、殺菌装置の周辺に存在する気体を殺菌空間ＡＳに対して出入りさせることができるので、殺菌空間ＡＳ内に配置された殺菌対象物ＯＳだけでなく殺菌装置の周辺に存在する気体を積極的に殺菌することができるとともに、殺菌対象物に応じた殺菌の利便性及び安全性を向上させることができるという効果を奏する。
【００９８】
なお、本実施形態は、前述した実施形態などに限定されるものではなく、必要に応じて種々の変更が可能である。
【符号の説明】
【００９９】
１  マルチ殺菌装置
２  筒状壁
３  照射部
４  脚部
５  通気口
６  排気部
７  除菌フィルタ
８  標識表示部
９  動物感知センサ
１０Ｓ  照射開始ボダン
１０Ｆ  照射停止ボダン
１１  高さ調整部
２１  上面壁
２１Ｅ  取出口
２１Ｄ  上面扉
２２  側面壁
２２Ｅ  搬入口
２２Ｄ  側面扉
２２Ｋ  鍵
２２Ｗ  透過窓
２３  開口部
１１１  把持部
１１２  移動補助部
２２１  正面壁
２２２  背面壁
２２３  右面壁
２２４  左面壁
ＡＳ  殺菌空間
ＢＡ  かご集合体
ＢＳ  かご台
ＯＳ  殺菌対象物
ＳＢ  商店用買い物かご
【図１】
0003230594.tif 000003
【図２】
0003230594.tif 000004
【図３】
0003230594.tif 000005
【図４】
0003230594.tif 000006
【手続補正書】
【提出日】令和2年12月2日(2020.12.2)
【手続補正１】
【補正対象書類名】実用新案登録請求の範囲
【補正対象項目名】全文
【補正方法】変更
【補正の内容】
【実用新案登録請求の範囲】
【請求項１】
上面壁と、前記上面壁の周縁付近から下方に延びる側面壁と、前記側面壁の下方周縁に囲まれてなる開口部と、を有する筒状壁と、
前記筒状壁に囲まれてなる殺菌空間内に殺菌対象物を出し入れする出入口となる搬入口と、
前記筒状壁に取り付けられており前記殺菌空間内にある前記殺菌対象物及び／又は気体に殺菌光を照射する照射部と、
前記筒状壁の下端よりも下方に取り付けられる脚部と、
前記脚部が接地する接地面と前記筒状壁の下端との隙間を利用して前記殺菌空間内へ気体の出入りを可能にする通気口と、
を備えることを特徴とするマルチ殺菌装置。
【請求項２】
前記脚部は、前記筒状壁の移動を可能にする脚車である
ことを特徴とする請求項１に記載のマルチ殺菌装置。
【請求項３】
前記筒状壁に取り付けられており前記殺菌空間内にある気体を排出する排気部と、
前記殺菌空間内に充満した気体の量を充満気体量として前記排気部が前記充満気体量と同量又はそれ以下の量だけ前記気体を排出する制御を行う排気制御部と、
を更に備えることを特徴とする請求項１又は請求項２に記載のマルチ殺菌装置。
【請求項４】
前記排気制御部は、前記照射部が照射を終了した照射終了時から所定の排気待機時間後に前記排気部が前記気体の排出を開始する制御を行う
ことを特徴とする請求項３に記載のマルチ殺菌装置。
【請求項５】
前記筒状壁に取り付けられており、前記排気部が排出する気体が流れる流路において前記殺菌空間から前記排気部までの間に配置されている除菌フィルタと、
を更に備えることを特徴とする請求項３又は請求項４に記載のマルチ殺菌装置。
【請求項６】
前記搬入口は、前記側面壁の一部に設けられた扉を有し、
前記扉は、前記殺菌光が人体に影響を及ぼさない程度に前記殺菌光を透過する透過窓を有する
ことを特徴とする請求項１から請求項５のいずれか１項に記載のマルチ殺菌装置。
【請求項７】
前記照射部が照射していることを示す作動標識を表示する標識表示部と、
を更に備えることを特徴とする請求項１から請求項６のいずれか１項に記載のマルチ殺菌装置。
【請求項８】
前記扉を施錠又は解錠することができる鍵と、
前記照射部が照射を開始する際の操作ボタンとなる照射開始ボタンと、
前記照射開始ボタンの操作開始時に基づき前記鍵が前記扉を施錠する制御を行うとともに、前記照射部の照射終了時に基づき前記鍵が前記扉を解錠する制御を行う施錠制御部と、
を更に備えることを特徴とする請求項６に記載のマルチ殺菌装置。
【請求項９】
前記殺菌対象物が前記殺菌空間内に配置されたことを感知したときに照射開始を自動的に操作にする自動開始時から所定の照射待機時間後に所定の照射時間だけ前記照射部が前記殺菌光を照射する制御を行う照射制御部と、
を更に備えることを特徴とする請求項６又は請求項７に記載のマルチ殺菌装置。
【請求項１０】
前記殺菌空間内に人を含む動物がいるか否かを感知する動物感知センサと、を更に備えており、
前記照射制御部は、前記殺菌空間内に前記動物がいることを前記動物感知センサが感知したときに前記照射部が前記殺菌光を照射しない制御を行う
ことを特徴とする請求項９のいずれか１項に記載のマルチ殺菌装置。
【請求項１１】
前記殺菌対象物は、スーパーマーケットなどの商店で使用される１個の商店用買い物かご又は２個以上の前記商店用買い物かごを上下方向に集合させてなるかご集合体であり、
前記上面壁は、前記殺菌対象物を取り出すことが可能な程度の大きさを有する取出口を有する
ことを特徴とする請求項１から請求項１０のいずれか１項に記載のマルチ殺菌装置。
【請求項１２】
前記取出口の高さを基準にして前記殺菌対象物の高さが一定の範囲内となるように前記殺菌対象物を上方に持ち上げる高さ調整部と、
を更に備えることを特徴とする請求項１１に記載のマルチ殺菌装置。